【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、各々が複数種類の識別情報を変動表示させる複数の可変表示部を含む可変表示装置に表示結果が導出されることにより１ゲームが終了し、該可変表示装置に設定された入賞ライン上に導出された表示結果に応じて入賞が発生可能であるスロットマシンにおいて、
ゲーム毎に前記可変表示装置に表示結果が導出されるより前に、前記複数の可変表示部のうちの第１可変表示部において該第１可変表示部で変動表示される識別情報のうちの特定種類の識別情報が所定の入賞ライン上に停止されたことを条件に発生する特定小役入賞を含む前記遊技用価値の付与を伴う小役入賞を含む前記入賞の発生を許容するか否かを決定する事前決定手段と、
前記複数の可変表示部の各々における識別情報の変動表示を停止させる際にそれぞれ操作される停止操作手段と、
前記停止操作手段がそれぞれ操作されたときに、該停止操作手段の操作と前記事前決定手段の決定結果とに応じて前記複数の可変表示部の各々における識別情報の変動表示を停止させる停止制御手段と、
前記小役入賞が発生したときに、前記遊技用価値を遊技者に付与する遊技用価値付与手段とを備え、
前記事前決定手段は、第１の決定により前記特定小役入賞の発生を許容する旨を決定する場合と、該第１の決定とは異なる第２の決定により前記特定小役入賞の発生を許容する旨を決定する場合とがあり、
前記停止制御手段は、
前記第１の決定により前記特定小役入賞の発生を許容する旨が決定されていることに基づいて、前記第１可変表示部における識別情報の変動表示を、該第１可変表示部に対応する停止操作手段の操作に応じて前記特定種類の識別情報が所定の入賞ライン上に位置するように停止させるとともに、前記複数の可変表示部のうちの前記第１可変表示部とは異なる第２可変表示部における識別情報の変動表示を、該第２可変表示部に対応する停止操作手段の操作に応じて該第２可変表示部で変動表示される識別情報のうちの第１種類の識別情報が前記所定の入賞ライン上に位置するように停止させて、前記特定小役入賞を発生させる第１特定停止手段と、
前記第２の決定により前記特定小役入賞の発生を許容する旨が決定されていることに基づいて、前記第１可変表示部における識別情報の変動表示を、該第１可変表示部に対応する停止操作手段の操作に応じて前記特定種類の識別情報が所定の入賞ライン上に位置するように停止させるとともに、前記第２可変表示部における識別情報の変動表示を、該第２可変表示部に対応する停止操作手段の操作に応じて該第２可変表示部で変動表示される識別情報のうちの第１種類の識別情報とは異なる第２種類の識別情報が前記所定の入賞ライン上に位置するように停止させて、前記特定小役入賞を発生させる第２特定停止手段とを含み、 
前記第１特定停止手段により前記特定小役入賞を発生させたときと前記第２特定停止手段により前記特定小役入賞を発生させたときとでは、前記遊技用価値付与手段により付与される遊技用価値の数は同じであるが、該特定小役入賞が発生したゲームよりも後の遊技において遊技者が獲得可能な遊技用価値の数の期待値は互いに異なる
ことを特徴とするスロットマシン。
【手続補正２】
【補正対象書類名】明細書
【補正対象項目名】０００１
【補正方法】変更
【補正の内容】
【０００１】
本発明は、スロットマシンに関するものである。
【手続補正３】
【補正対象書類名】明細書
【補正対象項目名】０００５
【補正方法】変更
【補正の内容】
【０００５】
ここで、通常の遊技状態において予め定められたＲＴ図柄が可変表示装置の表示結果として導出されることで、遊技状態をＲＴに移行させるものとしたスロットマシンがあった（例えば、特許文献１、２参照）。
【手続補正４】
【補正対象書類名】明細書
【補正対象項目名】０００７
【補正方法】変更
【補正の内容】
【０００７】
しかしながら、特許文献１、２のスロットマシンのようにＲＴに移行させる契機となるＲＴ図柄の導出が容易に識別できるようなものであると、その契機が明白すぎて遊技が単調になってしまうという問題があった。ビッグボーナスやレギュラーボーナスの終了後にＲＴに制御させるものとした場合は、ＲＴ移行の契機が明白すぎて遊技が単調になるという問題があった。
【手続補正５】
【補正対象書類名】明細書
【補正対象項目名】０００８
【補正方法】変更
【補正の内容】
【０００８】
本発明は、遊技の興趣を向上させることのできるスロットマシンを提供することを目的とする。
【手続補正６】
【補正対象書類名】明細書
【補正対象項目名】０００９
【補正方法】変更
【補正の内容】
【０００９】
上記目的を達成するため、本発明にかかるスロットマシンは、
遊技用価値（メダル）を用いて１ゲームに対して所定数の賭数を設定することによりゲームを開始させることが可能となり、各々が複数種類の識別情報を変動表示させる複数の可変表示部（リール３Ｌ、３Ｃ、３Ｒ）を含む可変表示装置（可変表示装置２）に表示結果が導出されることにより１ゲームが終了し、該可変表示装置に設定された入賞ライン上に導出された表示結果に応じて入賞が発生可能であるスロットマシンにおいて、
ゲーム毎に前記可変表示装置に表示結果が導出されるより前に、前記複数の可変表示部のうちの第１可変表示部（リール３Ｌ）において該第１可変表示部で変動表示される識別情報のうちの特定種類の識別情報（チェリー）が所定の入賞ライン上に停止されたことを条件に発生する特定小役入賞（チェリーＡ〜チェリーＧ）を含む前記遊技用価値の付与を伴う小役入賞（スイカ、ベル、スイカベル、チェリーＡ〜チェリーＧ）を含む前記入賞の発生を許容するか否かを決定する事前決定手段（ステップＳ４０３、図１４、図２２）と、
前記複数の可変表示部の各々における識別情報の変動表示を停止させる際にそれぞれ操作される停止操作手段（停止ボタン１２Ｌ、１２Ｃ、１２Ｒ）と、
前記停止操作手段がそれぞれ操作されたときに、該停止操作手段の操作と前記事前決定手段の決定結果とに応じて前記複数の可変表示部の各々における識別情報の変動表示を停止させる停止制御手段（ステップＳ４０４）と、
前記小役入賞が発生したときに、前記遊技用価値を遊技者に付与する遊技用価値付与手段（ステップＳ４０６）とを備え、
前記事前決定手段は、第１の決定により前記特定小役入賞の発生を許容する旨を決定する場合と、該第１の決定とは異なる第２の決定により前記特定小役入賞の発生を許容する旨を決定する場合とがあり、
前記停止制御手段は、
前記第１の決定により前記特定小役入賞の発生を許容する旨が決定されていることに基づいて、前記第１可変表示部における識別情報の変動表示を、該第１可変表示部に対応する停止操作手段の操作に応じて前記特定種類の識別情報が所定の入賞ライン上に位置するように停止させるとともに、前記複数の可変表示部のうちの前記第１可変表示部とは異なる第２可変表示部（リール３Ｒ）における識別情報の変動表示を、該第２可変表示部に対応する停止操作手段の操作に応じて該第２可変表示部で変動表示される識別情報のうちの第１種類の識別情報（ＢＡＲ、７、ＪＡＣ、リプレイ、スイカ、ベル）が前記所定の入賞ライン上に位置するように停止させて、前記特定小役入賞を発生させる第１特定停止手段と、
前記第２の決定により前記特定小役入賞の発生を許容する旨が決定されていることに基づいて、前記第１可変表示部における識別情報の変動表示を、該第１可変表示部に対応する停止操作手段の操作に応じて前記特定種類の識別情報が所定の入賞ライン上に位置するように停止させるとともに、前記第２可変表示部における識別情報の変動表示を、該第２可変表示部に対応する停止操作手段の操作に応じて該第２可変表示部で変動表示される識別情報のうちの第１種類の識別情報とは異なる第２種類の識別情報（チェリー）が前記所定の入賞ライン上に位置するように停止させて、前記特定小役入賞を発生させる第２特定停止手段とを含み、 
前記第１特定停止手段により前記特定小役入賞を発生させたときと前記第２特定停止手段により前記特定小役入賞を発生させたときとでは、前記遊技用価値付与手段により付与される遊技用価値の数は同じ（２枚）であるが、該特定小役入賞が発生したゲームよりも後の遊技において遊技者が獲得可能な遊技用価値の数の期待値は互いに異なる
ことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】